(57)【要約】　　　（修正有）【課題】色空間ｓＹＣＣのカラー情報通信をサポートできるモノクロあるいは色空間Ｌａｂカラーのファクシミリ装置及び該ファクシミリ装置を使用するカラー情報通信方法を提供する。【解決手段】カラーファイル情報を通信可能なノモクロあるいは色空間Ｌａｂカラーのファクシミリ装置で、コンパクトフラッシュ（Ｒ）カードがセットされているとＳ１４，、ＪＰＥＧ符号化情報の受信機能が有り、色空間がｓＹＣＣであるフルカラー情報の受信機能が有ることを、ＤＩＳ信号のＦＩＦの所定ビットで送信側に通知しＳ１６、送信側から色空間がｓＹＣＣであるフルカラー情報の送信指定を受けたことをＤＣＳ信号のＦＩＦの所定ビットで検知した場合にＳ２０、ＪＰＥＧ符号化情報で色空間がｓＹＣＣであるフルカラー情報を受信させて、プリントをせずコンパクトフラッシュ（Ｒ）カードに記憶する。【選択図】　　　図３
2004032676.tif 000002
【特許請求の範囲】
【請求項１】
ファイル情報を通信可能で、ＪＰＥＧ符号化情報と色空間がｓＹＣＣであるカラー情報とを受信可能なファクシミリ装置であって、
送信側に自機の受信機能を通知する機能通知手段と、
情報を記憶する記憶媒体が装着される記憶媒体装着部と、
送信側から受信した色空間ｓＹＣＣでのＪＰＥＧ通信の情報を、前記記憶媒体に記憶する情報記憶手段と、
前記記憶媒体の着脱状態を検出する状態検出手段とを有し、
前記機能通知手段は、前記状態検出手段の検出結果が前記記憶媒体が装着されてないことを示す場合に、ＪＰＥＧ符号化情報で色空間がｓＹＣＣであるカラー情報の受信機能が無いことを送信側に通知し、前記記憶媒体が装着されている場合に、ＪＰＥＧ符号化情報で色空間がｓＹＣＣであるカラー情報の受信機能があることを送信側に通知することを特徴とするファクシミリ装置。
【請求項２】
送信側から受信した色空間ｓＹＣＣでのＪＰＥＧ通信の情報は、記録装置により記録せず、前記情報記憶手段により前記記憶媒体に記憶することを特徴とする請求項１記載のファクシミリ装置。
【請求項３】
前記ファクシミリ装置は色空間がＬａｂであるカラー情報を受信可能であって、送信側から受信した色空間ＬａｂでのＪＰＥＧ通信の情報は、記録装置により記録することを特徴とする請求項１記載のファクシミリ装置。
【請求項４】
ファイル情報を通信可能で、ＪＰＥＧ符号化情報と色空間がｓＹＣＣであるカラー情報とを受信可能なファクシミリ装置であって、
情報を記憶する記憶媒体が装着される記憶媒体装着部と、
ＪＰＥＧ符号化情報の受信機能が有り、色空間がＬａｂであるカラー情報の受信機能が無く、色空間がｓＹＣＣであるカラー情報の受信機能が有ることを、送信側に通知する機能通知手段と、
送信側から色空間がｓＹＣＣであるカラー情報の送信指定を受けた場合に、カラー情報を受信するよう制御する受信制御手段と、
受信した色空間ｓＹＣＣでのＪＰＥＧ通信のカラー情報を前記記憶媒体に記憶するカラー情報記憶手段とを有することを特徴とするファクシミリ装置。
【請求項５】
前記記憶媒体の着脱状態を検出する状態検出手段を有し、
前記機能通知手段は、前記記憶媒体が装着されてない場合に、ＪＰＥＧ符号化情報の受信機能が無く、色空間がＬａｂであるカラー情報の受信機能が無く、色空間がｓＹＣＣであるカラー情報の受信機能が無いことを、送信側に通知することを特徴とする請求項４記載のファクシミリ装置。
【請求項６】
送信側から色空間がＬａｂでのＪＰＥＧ通信の送信指定を受けた場合に、受信を中断する受信中断手段を更に有することを特徴とする請求項４記載のファクシミリ装置。
【請求項７】
前記ファクシミリ装置はモノクロの記録装置を有し、送信側から受信した色空間ｓＹＣＣでのＪＰＥＧ通信のカラー情報は前記記録装置により記録されないことを特徴とする請求項４記載のファクシミリ装置。
【請求項８】
ＪＰＥＧ符号化情報と色空間がｓＹＣＣであるカラー情報とを送信可能な情報送信手段と、
受信側から、ＪＰＥＧ符号化情報の受信機能が有るか否か、色空間がＬａｂであるカラー情報の受信機能が有るか否か、色空間がｓＹＣＣであるカラー情報の受信機能が有るか否かの機能通知を受信する機能通知受信手段と、
該機能通知受信手段が、受信側から、ＪＰＥＧ符号化情報の受信機能が有り、色空間がｓＹＣＣであるカラー情報の受信機能が有るとの機能通知を受信した場合に、色空間がｓＹＣＣであるカラー情報と送信指定とを、前記情報送信手段に送信させる送信制御手段とを更に有することを特徴とする請求項４記載のファクシミリ装置。
【請求項９】
前記機能通知は、ＤＩＳ及び／又はＤＴＣ信号のＦＩＦの所定ビットにより行われ、前記送信指定はＤＣＳ信号ＦＩＦの所定ビットにより行われることを特徴とする請求項１乃至８のいずれか１つに記載のファクシミリ装置。
【請求項１０】
ファイル情報を通信可能で、ＪＰＥＧ符号化情報と色空間がｓＹＣＣであるカラー情報とを受信可能なファクシミリ装置の制御方法であって、該ファクシミリ装置が、送信側から受信した色空間ｓＹＣＣでのＪＰＥＧ通信の情報を記憶する記憶媒体が装着される記憶媒体装着部を有し、
前記記憶媒体が装着されているか否かを検出する状態検出ステップと、
前記記憶媒体が装着されていない場合に、ＪＰＥＧ符号化情報で色空間がｓＹＣＣである情報の受信機能が無いことを送信側に通知し、前記記憶媒体が装着されている場合に、ＪＰＥＧ符号化情報で色空間がｓＹＣＣである情報の受信機能があることを送信側に通知する機能通知ステップとを有することを特徴とするファクシミリ装置の制御方法。
【請求項１１】
送信側から受信した色空間ｓＹＣＣでのＪＰＥＧ通信の情報は、記録装置により記録せず、前記記憶媒体に記憶することを特徴とする請求項１０記載のファクシミリ装置の制御方法。
【請求項１２】
前記ファクシミリ装置が色空間がＬａｂであるカラー情報を受信可能であって、送信側から受信した色空間ＬａｂでのＪＰＥＧ通信の情報は、記録装置により記録することを特徴とする請求項１０記載のファクシミリ装置の制御方法。
【請求項１３】
ファイル情報を通信可能で、ＪＰＥＧ符号化情報と色空間がｓＹＣＣであるカラー情報とを受信可能なファクシミリ装置の制御方法であって、該ファクシミリ装置が、送信側から受信した色空間ｓＹＣＣでのＪＰＥＧ通信の情報を記憶する記憶媒体が装着される記憶媒体装着部を有し、
ＪＰＥＧ符号化情報の受信機能が有り、色空間がＬａｂであるカラー情報の受信機能が無く、色空間がｓＹＣＣであるカラー情報の受信機能が有ることを、送信側に通知する機能通知ステップと、
送信側から色空間がｓＹＣＣであるカラー情報の送信指定を受けた場合に、カラー情報を受信させるよう制御する受信制御ステップと、
受信した色空間ｓＹＣＣでのＪＰＥＧ通信のカラー情報を前記記憶媒体に記憶するカラー情報記憶ステップとを有することを特徴とするファクシミリ装置の制御方法。
【請求項１４】
前記記憶媒体の着脱状態を検出する状態検出ステップを有し、
前記機能通知ステップでは、前記記憶媒体が装着されてない場合に、ＪＰＥＧ符号化情報の受信機能が無く、色空間がＬａｂであるカラー情報の受信機能が無く、色空間がｓＹＣＣであるカラー情報の受信機能が無いことを、送信側に通知することを特徴とする請求項１３記載のファクシミリ装置の制御方法。
【請求項１５】
送信側から色空間がＬａｂでのＪＰＥＧ通信の送信指定を受けた場合に、受信を中断する受信中断ステップを更に有することを特徴とする請求項１３記載のファクシミリ装置の制御方法。
【請求項１６】
前記ファクシミリ装置はモノクロの記録装置を有し、送信側から受信した色空間ｓＹＣＣでのＪＰＥＧ通信のカラー情報は前記記録装置により記録されないことを特徴とする請求項１３記載のファクシミリ装置の制御方法。
【請求項１７】
前記機能通知は、ＤＩＳ及び／又はＤＴＣ信号のＦＩＦの所定ビットにより行われ、前記送信指定はＤＣＳ信号ＦＩＦの所定ビットにより行われることを特徴とする請求項１０乃至１６のいずれか１つに記載のファクシミリ装置の制御方法。
【請求項１８】
請求項１０乃至１７のいずれか１つに記載のファクシミリ装置の制御方法を実現することを特徴とする制御プログラム。
【請求項１９】
請求項１８の制御プログラムを記憶することを特徴とする記憶媒体。
【請求項２０】
ファイル情報を通信可能な複数のファクシミリ装置が接続されるカラー情報通信システムであって、
受信側のファクシミリ装置が、ＪＰＥＧ符号化情報と色空間がｓＹＣＣであるカラー情報を受信可能であって、
情報を記憶する記憶媒体が装着される記憶媒体装着部と、
送信側から受信した色空間ｓＹＣＣでのＪＰＥＧ通信の情報を、前記記憶媒体に記憶する情報記憶手段と
前記記憶媒体の着脱状態を検出する状態検出手段と、
前記状態検出手段の検出結果が前記記憶媒体が装着されてないことを示す場合に、ＪＰＥＧ符号化情報で色空間がｓＹＣＣである情報の受信機能が無いことを送信側に通知し、前記記憶媒体が装着されている場合に、ＪＰＥＧ符号化情報で色空間がｓＹＣＣである情報の受信機能があることを送信側に通知する機能通知手段と、
送信側から色空間がｓＹＣＣであるＪＰＥＧ符号化情報の送信指定を受けた場合に、色空間がｓＹＣＣであるＪＰＥＧ符号化情報を受信させて、記録装置により記録すること無く前記記憶媒体に記憶する受信制御手段とを有し、
送信側のファクシミリ装置が、ＪＰＥＧ符号化情報と色空間がｓＹＣＣであるカラー情報とを送信可能であって、
受信側から、ＪＰＥＧ符号化情報で色空間がｓＹＣＣである情報の受信機能が有るか否かの機能通知を受信する機能通知受信手段と、
受信側から、ＪＰＥＧ符号化情報で色空間がｓＹＣＣである情報の受信機能が有るとの機能通知を受信した場合に、ＪＰＥＧ符号化情報で色空間がｓＹＣＣである情報と送信指定とを、前記情報送信手段に送信させる送信制御手段とを有することを特徴とするカラー情報通信システム。
【請求項２１】
前記送受信側のファクシミリ装置が色空間がＬａｂであるカラー情報を送受信可能であって、前記受信制御手段は送信側から受信した色空間ＬａｂでのＪＰＥＧ通信の情報を記録装置により記録することを特徴とする請求項２０記載のカラー情報通信システム。
【請求項２２】
ファイル情報を通信可能なカラー情報通信方法であって、ＪＰＥＧ符号化情報と色空間がｓＹＣＣであるカラー情報とを受信可能な受信側の装置が、情報を記憶する着脱可能な記憶媒体が装着されている場合に、ＪＰＥＧ符号化情報で色空間がｓＹＣＣである情報の受信機能があることを、送信側の装置に通知すると、
前記送信側の装置は、前記受信機能の通知を受けて、ＪＰＥＧ符号化情報で色空間がｓＹＣＣである情報と送信指定とを、前記受信側装置に送信し、
前記受信側装置は、前記送信指定を認識して、ＪＰＥＧ符号化情報で色空間がｓＹＣＣである情報を受信して、記録手段に出力すること無く前記記憶媒体に記憶することを特徴とするカラー情報通信方法。
【請求項２３】
前記送受信側の装置が色空間がＬａｂであるカラー情報を送受信可能であって、前記受信側のファクシミリ装置は送信側から受信した色空間ＬａｂでのＪＰＥＧ通信の情報を記録装置により記録することを特徴とする請求項２０記載のカラー情報通信システム。
【発明の詳細な説明】
【０００１】
【発明の属する技術分野】
本発明はファクシミリ装置、特にカラーファイル情報を受信可能なファクシミリ装置及び該ファクシミリ装置を使用するカラー情報通信方法に関するものである。
【０００２】
【従来の技術】
従来のファクシミリ装置は、モノクロ通信を実行するファクシミリ装置が主流であった。しかしながら、最近は、インクジェットプリンタやデジタルスチルカメラ、パソコンなどの普及に伴い、カラー情報での取り扱いが急増してきた。この状況の変化に従い、カラー情報通信へのニーズが急速に高まってきた。
【０００３】
まず、現在のＩＴＵ−Ｔの勧告によるカラー情報通信について説明する。カラー情報の送信はＩＴＵ−Ｔ勧告Ｔ．８２で規定されているＪＰＥＧ符号化によって、ＩＴＵ−Ｔ勧告Ｔ．４２の色空間Ｌａｂでフルカラー情報の送信を実行している。送信機、受信機ともにスタンドアローンのファクシミリ装置により、カラー情報のファクシミリ通信を実行している。
【０００４】
【発明が解決しようとする課題】
ところが、上記従来例では、送信するカラーファクシミリ情報の色空間はＬａｂを使用しているのに対して、例えば、デジタルスチルカメラで撮影したカラー情報の色空間はｓＹＣＣである。又、パソコンにてカラー情報を表示する場合の色空間もｓＹＣＣである。すなわち、最近、上記デジタルスチルカメラ、パソコンなどの普及の状況から、色空間ｓＹＣＣでのカラー情報通信のニーズが高まってきている。
【０００５】
しかし、ファクシミリ装置において、カラー読取とカラープリントとをカバーしようとすると、装置が高価になるという問題がある。従って、ユーザは、モノクロのファクシミリ装置であっても、色空間ｓＹＣＣのカラー情報通信をサポートできる装置の出現を期待している。
【０００６】
本発明は、上記ユーザの要望に答え、色空間ｓＹＣＣのカラー情報通信をサポートできるファクシミリ装置及び該ファクシミリ装置を使用するカラー情報通信方法を提供する。又、色空間ｓＹＣＣ及び色空間Ｌａｂのカラー情報通信をサポートできる、多種のファイル情報を通信可能なファクシミリ装置及び該ファクシミリ装置を使用するカラー情報通信方法を提供できる。
【０００７】
【課題を解決するための手段】
この課題を解決するために、本発明のファクシミリ装置は、ファイル情報を通信可能で、ＪＰＥＧ符号化情報と色空間がｓＹＣＣであるカラー情報とを受信可能なファクシミリ装置であって、送信側に自機の受信機能を通知する機能通知手段と、情報を記憶する記憶媒体が装着される記憶媒体装着部と、送信側から受信した色空間ｓＹＣＣでのＪＰＥＧ通信の情報を、前記記憶媒体に記憶する情報記憶手段と、前記記憶媒体の着脱状態を検出する状態検出手段とを有し、前記機能通知手段は、前記状態検出手段の検出結果が前記記憶媒体が装着されてないことを示す場合に、ＪＰＥＧ符号化情報で色空間がｓＹＣＣであるカラー情報の受信機能が無いことを送信側に通知し、前記記憶媒体が装着されている場合に、ＪＰＥＧ符号化情報で色空間がｓＹＣＣであるカラー情報の受信機能があることを送信側に通知することを特徴とする。また、送信側から受信した色空間ｓＹＣＣでのＪＰＥＧ通信の情報は、記録装置により記録せず、前記情報記憶手段により前記記憶媒体に記憶する。また、前記ファクシミリ装置は色空間がＬａｂであるカラー情報を受信可能であって、送信側から受信した色空間ＬａｂでのＪＰＥＧ通信の情報は、記録装置により記録する。
【０００８】
又、ファイル情報を通信可能で、ＪＰＥＧ符号化情報と色空間がｓＹＣＣであるカラー情報とを受信可能なファクシミリ装置であって、情報を記憶する記憶媒体が装着される記憶媒体装着部と、ＪＰＥＧ符号化情報の受信機能が有り、色空間がＬａｂであるカラー情報の受信機能が無く、色空間がｓＹＣＣであるカラー情報の受信機能が有ることを、送信側に通知する機能通知手段と、送信側から色空間がｓＹＣＣであるカラー情報の送信指定を受けた場合に、カラー情報を受信するよう制御する受信制御手段と、受信した色空間ｓＹＣＣでのＪＰＥＧ通信のカラー情報を前記記憶媒体に記憶するカラー情報記憶手段とを有することを特徴とする。
【０００９】
カラー情報を記憶する記憶媒体が装着される記憶媒体装着部と、送信側から受信した色空間ｓＹＣＣでのＪＰＥＧ通信のカラー情報を前記記憶媒体に記憶するカラー情報記憶手段とを更に有する。また、前記記憶媒体の着脱状態を検出する状態検出手段を有し、前記機能通知手段は、前記記憶媒体が装着されてない場合に、ＪＰＥＧ符号化情報の受信機能が無く、色空間がＬａｂであるカラー情報の受信機能が無く、色空間がｓＹＣＣであるカラー情報の受信機能が無いことを、送信側に通知する。
【００１０】
前記機能通知は、ＤＩＳ及び／又はＤＴＣ信号のＦＩＦの所定ビットにより行われ、前記送信指定はＤＣＳ信号ＦＩＦの所定ビットにより行われる。
【００１１】
上記本発明の構成により、ファクシミリ装置にて、色空間ｓＹＣＣのみをサポートし、色空間ｓＹＣＣでの受信情報は、カード（例えば、コンパクトフラッシュカード）にアップロードし、このカードに格納されている受信情報をパソコンで表示したり、デジタルスチルカメラで見たりすることが可能になった。コンパクトフラッシュカードがセットされていないと、色空間ｓＹＣＣでのカラーファイル情報を受信をしても、カードへのアップロードができないので、カラーファイル情報を受信しないようにすることができ、無駄なカラーファイル情報の受信が無くなった。ここで、ファクシミリ装置がモノクロ装置であっても、安価な装置で色空間ｓＹＣＣでのカラーファイル情報の通信、及び、カードへのアップロードが可能になりユーザにとってとても使い易くなった。更に、色空間ｓＹＣＣでの受信情報はカードにアップロードし、色空間Ｌａｂでの受信情報は記録装置に記録する構成とすることで、多種のファイル情報を通信可能なフアクシミリ装置が提供される。
【００１２】
【発明の実施の形態】
以下、図面に示す実施の形態に基づいて、本発明を詳細に説明する。
【００１３】
＜第１の実施形態のファクシミリ装置の構成例＞
図１には、本発明の第１の実施形態であるファクシミリ装置のブロック構成例が図示されている。
【００１４】
２はＮＣＵ（網制御装置）で、電話網をデータ通信等に使用するために、その回線の端末に接続し、電話交換網の接続制御を行ったりデータ通信路への切り換えを行ったり、ループの保持を行うものである。又、ＮＣＵ２は、バス２６からの制御により、電話回線２ａを電話機側に接続（ＣＭＬオフ）したり、電話回線２ａをファクシミリ装置側に接続（ＣＭＬオン）するものである。尚、通常状態では、電話回線２ａは電話機４の側に接続されている。４は電話機である。
【００１５】
６はハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。８は変復調器であり、ＩＴＵ−Ｔ勧告Ｖ．８、Ｖ．２１、Ｖ．２７ｔｅｒ、Ｖ．２９、Ｖ．１７、Ｖ．３４などに基づいた変調及び復調を行う変復調器であり、バス２６の制御により、各伝送モードが指定される。変復調器８は、バス２６からの送信信号を入力して変調データを信号線８ａに出力し、信号線６ａに出力されている受信信号を入力して復調データをバス２６に出力する。
【００１６】
１０は発呼回路であり、バス２６からの信号により電話番号情報を入力し、信号線１０ａにＤＴＭＦの選択信号を出力する。１２は加算回路であり、信号線８ａの情報と信号線１０ａの情報を入力し、加算した結果を信号線１２ａに出力する。
【００１７】
１４は、モノクロ読み取りのみ可能な読取回路（カラー読み取りはできない比較的廉価な回路）であり、読み取りデータをバス２６に出力する。１６は、モノクロ記録のみ可能な記録回路（カラー記録はできない比較的廉価な回路）であり、バス２６に出力されている情報を順次１ライン毎に記録する。
【００１８】
１８はメモリ回路であり、ワーク用のメモリ（ＲＡＭ）、更に、読み取りデータの生情報、あるいは符号化した情報を格納したり、又、受信情報、あるいは復号化した情報等をバス２６を介して格納するために使用する。
【００１９】
２０は、操作部であり、ワンタッチダイヤル、短縮ダイヤル、テンキー、アスタリスク（＊）キー、シャープ（＃）キー、スタートキー、ストップキー、セットキー、ファイル情報の送信を選択するキー、その他のファンクションキーがあり、押下されたキー情報はバス２６に出力される。操作部２０には表示部があり、バス２６に出力されている情報を入力して表示する。
【００２０】
２２はＣＰＵ（中央処理装置）であり、ファクシミリ全体の制御をしたり、ファクシミリ伝送制御手順を実行するが、その制御プログラムはＲＯＭ２４に格納される。２６はバスである。２８はカードインターフェイスである。３０は、カードインターフェイス２８を介してバス２６に接続されるコンパクトフラッシュカードである。尚、カードインターフェイス２８及びコンパクトフラッシュカード３０は、着脱可能でＰＣやカラープリンタ等へ受信したカラー画像を手動で移動可能である媒体を示すものであり、例えばフロッピーやＣＤ、ＤＶＤ、ＭＯなどの他の媒体でもよいことは明らかである。
【００２１】
＜第１の実施形態のファクシミリ装置の動作例＞
図２には、本発明により新規にＩＴＵ−Ｔ勧告Ｔ．３０に追加するプロトコルの一例を表している。
【００２２】
ＤＩＳ信号及び／又は受信機側から送信機側へのＤＴＣ信号のＦＩＦの６８ビットのＯＮ／ＯＦＦにより、ＪＰＥＧ受信機能の有無を通知し、送信機側から受信機側へのＤＣＳ信号のＦＩＦの６８ビットのＯＮ／ＯＦＦにより、ＪＰＥＧ送信を指定をするようにする。又、ＤＩＳ／ＤＴＣ信号のＦＩＦの６９ビットのＯＮ／ＯＦＦにより、色空間はＬａｂであるフルカラー受信機能の有無を通知し、ＤＣＳ信号のＦＩＦの６９ビットのＯＮ／ＯＦＦにより、色空間はＬａｂであるフルカラー送信を指定をするようにする。又、ＤＩＳ／ＤＴＣ信号のＦＩＦのＸビットのＯＮ／ＯＦＦにより、色空間はｓＹＣＣであるフルカラー受信機能の有無を通知し、ＤＣＳ信号のＦＩＦのＸビットのＯＮ／ＯＦＦにより、色空間はｓＹＣＣであるフルカラー送信を指定をするようにする。すなわち、ＤＩＳ信号／ＤＴＣ信号／ＤＣＳ信号のＦＩＦの６８ビットをＪＰＥＧ通信機能の報知に使用し、ＤＩＳ信号／ＤＴＣ信号／ＤＣＳ信号のＦＩＦの６９ビットをＬａｂであるフルカラー通信機能の報知に使用し、ＤＩＳ信号／ＤＴＣ信号／ＤＣＳ信号のＦＩＦのＸビットをｓＹＣＣであるフルカラー通信機能の報知に使用する。
【００２３】
別の観点から言えば、ＤＩＳ信号及び／又は受信機側から送信機側へのＤＴＣ信号のＦＩＦの６８，６９，Ｘビットをファクシミリ装置のカラー通信に関する受信機能の報知として使用し、送信機側から受信機側へのＤＣＳ信号のＦＩＦの６８，６９，Ｘビットをファクシミリ装置のカラー通信に関する送信指定として使用する。
【００２４】
このような構成で、本実施形態のカラーファイル情報を通信可能なモノクロのファクシミリ装置は、受信機として動作する場合には、ＪＰＥＧ符号化情報の受信機能の有無を通知する手段と、色空間がＬａｂであるフルカラー情報の受信機能の有無を通知する手段と、色空間がｓＹＣＣであるフルカラー情報の受信機能の有無を通知する手段とを有する。一方、送信機として動作する場合には、ＪＰＥＧ符号化情報の送信を指定する手段と、色空間がＬａｂであるフルカラー情報の送信を指定する手段と、色空間がｓＹＣＣであるフルカラー情報の送信を指定する手段とを有する。そして、受信機として動作する場合、カラー情報の受信が可能であれば、ＪＰＥＧ符号化情報の受信機能の有り、色空間がＬａｂであるフルカラー情報の受信機能の無し、色空間がｓＹＣＣであるフルカラー情報の受信機能の有りを通知する。尚、本実施形態のカラーファイル情報を通信可能なファクシミリ装置は、少なくとも受信機としての上記手段が設けられていれば、カラーファイル情報を通信可能なモノクロのファクシミリ装置として動作可能である。
【００２５】
更に、コンパクトフラッシュカード等のメモリカードを具備する手段を有し、コンパクトフラッシュカードがセットされていて、色空間ｓＹＣＣでのＪＰＥＧ通信が指定されると受信情報をカードへアップロードし、モノクロ情報の通信が指定されると受信情報をプリントする。ここで、色空間ｓＹＣＣでのＪＰＥＧ通信が指定されると、受信情報はプリントしない。一方、コンパクトフラッシュカードがセットされていないとＪＰＥＧ受信機能及び色空間ｓＹＣＣでの受信機能は無しとする。もし送信機側から色空間ＬａｂでのＪＰＥＧ通信が指定されると、受信機側で受信を中断する。
【００２６】
ファクシミリ装置のＲＯＭ２４には、以上のように動作する第１の動作例のための制御プログラムが格納されており、ＣＰＵ２２で実行される。
【００２７】
以下に、図３乃至図５のフローチャートを参照して、受信機側のファクシミリ装置における図２の各信号のＦＩＦのビットに基づく制御手順を説明する。尚、他の本発明に関わるファクシミリ装置の制御手順としては、送信機側の場合の図２の各信号のＦＩＦのビットを設定する手順があるが、これは簡単であるのでその他の処理（Ｓ１０）に含めてここでは説明しない。又、その他のファクシミリ送受信の制御手順は既知のものが使用されればよいので、説明は省く。
【００２８】
図３において、ステップＳ０は始めを表している。ステップＳ２では、バス２６を介してメモリ１８をイニシャライズし、ステップＳ４では、バス２６を介して、操作部の表示部をクリアする。ステップＳ６では、バス２６を介してＮＣＵ２のＣＭＬをオフにして、回線２ａを電話機４に接続する。ステップＳ８では、受信が選択されたか否かが判断され、受信（ＹＥＳ）であるとステップＳ１２に進み、受信でない（ＮＯ）であるとステップＳ１０に進み、その他の処理をする。このその他の処理（Ｓ１０）に図２の各信号のＦＩＦのビットを設定する手順も含まれる。ステップＳ１２では、バス２６を介してＮＣＵ２のＣＭＬをオンにして、回線２ａをファクシミリ機能（ハイブリット回路６側）に接続する。
【００２９】
ステップＳ１４では、カードインターフェイス２８にコンパクトフラッシュカード３０がセットされているか否かが判断され、セットされている（ＹＥＳ）であるステップとＳ１６に進み、セットされていない（ＮＯ）であるとステップＳ１８に進む。
【００３０】
コンパクトフラッシュカード３０がセットされていると、ステップＳ１６の前手順に進む。ここで、ＤＩＳ信号のＦＩＦの６８、Ｘビットを１（ＯＮ）とし、６９ビットを０（ＯＦＦ）とする。次に、ステップＳ２０では、ＤＣＳ信号のＦＩＦの６８及びＸビットが１（ＯＮ）であるか否かが判断され、両ビットが１（ＹＥＳ）であるとステップＳ２２に進み、少なくともいずれかが０（ＮＯ）であるとステップＳ２６に進む。
【００３１】
ＤＣＳ信号のＦＩＦの６８及びＸビットが共に１、すなわちＪＰＥＧ送信で色空間がｓＹＣＣであるカラー送信が指定されると、ステップＳ２２で、色空間がｓＹＣＣであるカラー情報を受信して、コンパクトフラッシュカード２８にアップロードする。ステップＳ２４は、後手順を表している。
【００３２】
ＤＣＳ信号のＦＩＦの６８及びＸビットの少なくともいずれかが０の場合は、ステップＳ２６で、ＤＣＳ信号のＦＩＦの６８及び６９ビットが１（ＯＮ）であるか否かが判断され、両ビットが１（ＹＥＳ）であるとステップＳ２８に進み、色空間がＬａｂであるフルカラー情報の受信は出来ないので通信の中断処理を実行し、少なくともいずれかが０（ＮＯ）であるとステップＳ３０に進む。
【００３３】
ステップＳ３０は、モノクロのファクシミリ画像情報の受信／記録を表している。すなわち、ＪＰＥＧ送信が指定されてない場合、あるいは色空間がＬａｂであるフルカラー情報の指定でも色空間がｓＹＣＣであるフルカラー情報の指定でもない場合は、ステップＳ３０でモノクロ受信を行なって、プリンタ（記録回路１６）に出力する。ステップＳ３２は、後手順を表している。
【００３４】
一方、ステップＳ１４で、コンパクトフラッシュカード３０がセットされていないと判断されると、ステップＳ１８の前手順に進む。ここで、ＤＩＳ信号のＦＩＦの６８、６９及びＸビットの全てを０（ＯＦＦ）とする。続いて、ステップＳ３０に進み、モノクロのファクシミリ画像情報の受信／記録を行なう。
【００３５】
尚、上記フローチャートでは、ＤＩＳ信号のＦＩＦのビット６８，６９，Ｘによるファクシミリ装置の受信機能の報知例、すなわち”発呼送信”の手順における被呼局の動作で説明したが、ＤＴＣ信号のＦＩＦによる受信機能の報知も、”発呼受信”の手順における発呼局の動作において、ＤＩＳ信号に代えてＤＴＣ信号を使用する以外は同様である。
【００３６】
＜第２の実施形態のファクシミリ装置の構成例＞
第２の実施形態のファクシミリ装置の構成は、１６がＬａｂ色空間のカラー記録が可能な記録回路であること以外は、図１の第１の実施形態のファクシミリ装置の構成と同様である。
【００３７】
＜第２の実施形態のファクシミリ装置の動作例＞
図６には、本実施形態での重要ビット、及び、新規にＩＴＵ−Ｔ勧告Ｔ．３０に追加するプロトコルの他の例を表している。
【００３８】
ＤＩＳ信号及び／又は受信機側から送信機側へのＤＴＣ信号のＦＩＦの６８ビットのＯＮ／ＯＦＦにより、ＪＰＥＧ受信機能の有無を通知し、送信機側から受信機側へのＤＣＳ信号のＦＩＦの６８ビットのＯＮ／ＯＦＦにより、ＪＰＥＧ送信を指定をするようにする。又、ＤＩＳ／ＤＴＣ信号のＦＩＦの６９ビットのＯＮ／ＯＦＦにより、色空間はＬａｂであるフルカラー受信機能の有無を通知し、ＤＣＳ信号のＦＩＦの６９ビットのＯＮ／ＯＦＦにより、色空間はＬａｂであるフルカラー送信を指定をするようにする。又、ＤＩＳ／ＤＴＣ信号のＦＩＦのＹビットのＯＮ／ＯＦＦにより、色空間はｓＹＣＣのＪＰＥＧ受信機能の有無を通知し、ＤＣＳ信号のＦＩＦのＹビットのＯＮ／ＯＦＦにより、色空間はｓＹＣＣのＪＰＥＧ送信を指定をするようにする。すなわち、ＤＩＳ信号／ＤＴＣ信号／ＤＣＳ信号のＦＩＦの６８ビットをＪＰＥＧ通信機能の報知に使用し、ＤＩＳ信号／ＤＴＣ信号／ＤＣＳ信号のＦＩＦの６９ビットをＬａｂであるフルカラー通信機能の報知に使用し、ＤＩＳ信号／ＤＴＣ信号／ＤＣＳ信号のＦＩＦのＹビットをｓＹＣＣのＪＰＥＧ通信機能の報知に使用する。
【００３９】
このような構成で、ファイル情報を通信可能で、ＪＰＥＧ符号化情報と色空間がｓＹＣＣであるカラー情報とを受信可能なファクシミリ装置であって、送信側に自機の受信機能を通知する機能通知手段と、情報を記憶する着脱可能な記憶媒体と、送信側から受信した色空間ｓＹＣＣでのＪＰＥＧ通信の情報を、前記記憶媒体に記憶する情報記憶手段と、前記記憶媒体の着脱状態を検出する状態検出手段とを有し、前記機能通知手段は、前記状態検出手段の検出結果が前記記憶媒体が装着されてないことを示す場合に、ＪＰＥＧ符号化情報で色空間がｓＹＣＣであるカラー情報の受信機能が無いことを送信側に通知し、前記記憶媒体が装着されている場合に、ＪＰＥＧ符号化情報で色空間がｓＹＣＣであるカラー情報の受信機能があることを送信側に通知する。また、送信側から受信した色空間ｓＹＣＣでのＪＰＥＧ通信の情報は記録装置により記録されない。送信側から受信した色空間ｓＹＣＣでのＪＰＥＧ通信の情報は前記記憶媒体に記憶する。また、前記ファクシミリ装置は色空間がＬａｂであるカラー情報を受信可能であって、送信側から受信した色空間ＬａｂでのＪＰＥＧ通信の情報は、記録装置により記録する。前記記憶媒体はメモリカードである。
【００４０】
ファクシミリ装置のＲＯＭ２４には、以上のように動作する第２の動作例のための制御プログラムが格納されており、ＣＰＵ２２で実行される。
【００４１】
以下に、図７乃至図９のフローチャートを参照して、受信機側のファクシミリ装置における図６の各信号のＦＩＦのビットに基づく制御手順を説明する。尚、他の本発明に関わるファクシミリ装置の制御手順としては、送信機側の場合の図７の各信号のＦＩＦのビットを設定する手順があるが、これは簡単であるのでその他の処理（Ｓ７０）に含めてここでは説明しない。又、その他のファクシミリ送受信の制御手順は既知のものが使用されればよいので、説明は省く。
【００４２】
図７において、ステップＳ６０は始めを表している。ステップＳ６２では、バス２６を介してメモリ１８をイニシャライズし、ステップＳ６４では、バス２６を介して、操作部の表示部をクリアする。ステップＳ６６では、バス２６を介してＮＣＵ２のＣＭＬをオフにして、回線２ａを電話機４に接続する。ステップＳ６８では、受信が選択されたか否かが判断され、受信（ＹＥＳ）であるとステップＳ７２に進み、受信でない（ＮＯ）であるとステップＳ７０に進み、その他の処理をする。このその他の処理（Ｓ７０）に図２の各信号のＦＩＦのビットを設定する手順も含まれる。ステップＳ７２では、バス２６を介してＮＣＵ２のＣＭＬをオンにして、回線２ａをファクシミリ機能（ハイブリット回路６側）に接続する。
【００４３】
ステップＳ７４では、カードインターフェイス２８にコンパクトフラッシュカード３０がセットされているか否かが判断され、セットされている（ＹＥＳ）であるステップとＳ７６に進み、セットされていない（ＮＯ）であるとステップＳ７８に進む。
【００４４】
コンパクトフラッシュカード３０がセットされていると、ステップＳ７６の前手順に進む。ここで、ＤＩＳ信号のＦＩＦの６８、６９、Ｙビットを１（ＯＮ）とする。次に、ステップＳ２０では、ＤＣＳ信号のＦＩＦの６８が１（ＯＮ）であるか否かが判断され、１（ＹＥＳ）であるとステップＳ８２に進み、０（ＮＯ）であるとステップＳ８６に進む。
【００４５】
ＤＣＳ信号のＦＩＦのＹビットが１、すなわちＪＰＥＧ送信で色空間がｓＹＣＣ送信が指定されると、ステップＳ８２で、色空間がｓＹＣＣであるカラー情報を受信して、コンパクトフラッシュカード２８にアップロードする。ステップＳ８４は、後手順を表している。
【００４６】
ＤＣＳ信号のＦＩＦのＹビットが０の場合は、ステップＳ８６で、ＤＣＳ信号のＦＩＦの６８及び６９ビットが１（ＯＮ）であるか否かが判断され、両ビットが１（ＹＥＳ）であるとステップＳ８８に進み、色空間がＬａｂでのカラー情報を受信し、受信した画像を記録回路１６でカラー記録し、少なくともいずれかが０（ＮＯ）であるとステップＳ９０に進む。
【００４７】
ステップＳ９０は、モノクロのファクシミリ画像情報の受信／記録を表している。すなわち、ＪＰＥＧ送信が指定されてない場合、あるいは色空間がＬａｂであるＪＰＥＧフルカラー情報の指定でも色空間がｓＹＣＣであるＪＰＥＧ情報の指定でもない場合は、ステップＳ９０でモノクロ受信を行なって、プリンタ（記録回路１６）に出力する。ステップＳ９２は、後手順を表している。
【００４８】
一方、ステップＳ７４で、コンパクトフラッシュカード３０がセットされていないと判断されると、ステップＳ７８の前手順に進む。ここで、ＤＩＳ信号のＦＩＦの６８、６９ビットを１（オン）し、Ｙビットを０（ＯＦＦ）とする。
【００４９】
尚、上記フローチャートでは、ＤＩＳ信号のＦＩＦのビット６８，６９，Ｙによるファクシミリ装置の受信機能の報知例、すなわち”発呼送信”の手順における被呼局の動作で説明したが、ＤＴＣ信号のＦＩＦによる受信機能の報知も、”発呼受信”の手順における発呼局の動作において、ＤＩＳ信号に代えてＤＴＣ信号を使用する以外は同様である。
【００５０】
又、上記第１の実施形態ではＸビットを第２の実施形態ではＹビットを使用するように説明したが、これらの機能を単独で使用する場合は同じビットを異なる情報伝達に使用してもよく、また両実施形態を組み合わせてそれぞれ異なるビットを伝達に使用してもよい。
【００５１】
又、第１の実施形態と第２の実施形態の２つの例を説明したが、本発明はこれに限定されることなく、例えばＤＩＳ信号のＦＩＦのビットを使用して、ｓＹＣＣ空間のカラー画像データの通信をｓＹＣＣ空間のカラー画像を記録できないファクシミリで実現するように制御する他の方法（信号及びビットの設定やその制御フロー）であってもよく、これらも本発明に含まれるものである。
【００５２】
又、本発明は、複数の機器（例えばホストコンピュータ、インタフェース機器、リーダ、プリンタなど）から構成されるファクシミリ機能を果たすシステムに適用しても、一つの機器からなるファクシミリ装置に適用してもよい。
【００５３】
又、本発明の目的は前述した実施形態の機能を実現するソフトウェアのプログラムコードを記録した記憶媒体を、システムあるいは装置に供給し、そのシステムあるいは装置のコンピュータ（又はＣＰＵやＭＰＵ）が記憶媒体に格納されたプログラム読出し実行することによっても、本発明の目的が達成されることは言うまでもない。この場合、記憶媒体から読出されたプログラムコード自体が本発明の新規な機能を実現することになり、そのプログラムコードを記憶した記憶媒体は本発明を構成することになる。
【００５４】
プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。又、コンピュータが読出したプログラムコードを実行することにより、前述した実施形態の機能が実現されるだけでなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【００５５】
さらに、記憶媒体から読出されたプログラムコードが、コンピュータに挿入された機能拡張ボードや機能拡張ユニットに備わるＣＰＵなどが実際の処理の一部又は全部を行い、その処理によって前述した実施形態の機能が実現される場合も含まれることは言うまでもない。本発明を上記記憶媒体に適用する場合、その記憶媒体には、先に説明したフローチャートに対応するプログラムコードが格納されることになる。
【００５６】
【発明の効果】
本発明により、ファクシミリ装置にて、色空間ｓＹＣＣをサポートし、色空間ｓＹＣＣでの受信情報は、カード（例えば、コンパクトフラッシュカード）にアップロードし、このカードに格納されている受信情報をパソコンで表示したり、デジタルスチルカメラで見たりすることが可能になった。コンパクトフラッシュカードがセットされていないと、色空間ｓＹＣＣでのカラーファイル情報を受信をしても、カードへのアップロードができないので、カラーファイル情報を受信しないようにすることができ、無駄なカラーファイル情報の受信が無くなった。ここで、ファクシミリ装置がモノクロ装置であっても、安価な装置で色空間ｓＹＣＣでのカラーファイル情報の通信、及び、カードへのアップロードが可能になりユーザにとってとても使い易くなった。又、色空間ｓＹＣＣでの受信情報は、カードにアップロードし、色空間Ｌａｂでの受信情報は記録装置に記録することで、多種のファイル情報を通信可能なファクシミリ装置を提供できる。
【図面の簡単な説明】
【図１】本実施形態のファクシミリ装置のブロック構成例を示す図である。
【図２】第１の実施形態のプロトコルの信号の具体例を説明する図である。
【図３】第１の実施形態のファクシミリ装置の発呼送信における被呼局の制御手順例を示すフローチャートである。
【図４】第１の実施形態のファクシミリ装置の発呼送信における被呼局の制御手順例を示すフローチャートである。
【図５】第１の実施形態のファクシミリ装置の発呼送信における被呼局の制御手順例を示すフローチャートである。
【図６】第２の実施形態のプロトコルの信号の具体例を説明する図である。
【図７】第２の実施形態のファクシミリ装置の発呼送信における被呼局の制御手順例を示すフローチャートである。
【図８】第２の実施形態のファクシミリ装置の発呼送信における被呼局の制御手順例を示すフローチャートである。
【図９】第２の実施形態のファクシミリ装置の発呼送信における被呼局の制御手順例を示すフローチャートである。
【図１】
2004032676.tif 000003
【図２】
2004032676.tif 000004
【図３】
2004032676.tif 000005
【図４】
2004032676.tif 000006
【図５】
2004032676.tif 000007
【図６】
2004032676.tif 000008
【図７】
2004032676.tif 000009
【図８】
2004032676.tif 000010
【図９】
2004032676.tif 000011